【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、
動物導入口から、前記第１選別領域及び前記第２選別領域側に向けて前記第１対象動物及び前記第２対象動物を案内する誘導路と、
前記第１選別領域を囲うとともに、前記誘導路から前記第１選別領域への第１入口を有する第１柵状部と、
前記第１入口に設けられ、前記第１通抜高さより高く、前記第２通抜高さより低い位置から上方に配置された第１遮断部と、
前記第２選別領域を囲うとともに、前記誘導路から前記第２選別領域への第２入口を有する第２柵状部と、
前記第２入口に設けられ、前記第１乗越高さより高く、前記第２乗越高さより低い位置から下方に配置された第２遮断部と、
地面上の第１領域とこの第１領域に隣接する第２領域との間の境界部に沿って設置され、前記第１領域と前記第２領域とを仕切る柵本体、及び、前記柵本体の下端部から前記第２領域側に、前記地面に沿って所定寸法だけ延出するとともに、前記柵本体に沿って設けられた網状部と有する潜抜防止柵と、
を備えることを特徴とする動物選別装置。
【請求項２】
障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、
動物導入口から、前記第１選別領域及び前記第２選別領域側に向けて前記第１対象動物及び前記第２対象動物を案内する誘導路と、
前記第１選別領域を囲うとともに、前記誘導路から前記第１選別領域への第１入口を有する第１柵状部と、
前記第１入口に設けられ、前記第１通抜高さより高く、前記第２通抜高さより低い位置から上方に配置された第１遮断部と、
前記第２選別領域を囲うとともに、前記誘導路から前記第２選別領域への第２入口を有する第２柵状部と、
前記第２入口に設けられ、前記第１乗越高さより高く、前記第２乗越高さより低い位置から下方に配置された第２遮断部と、
地面上の第１領域とこの第１領域に隣接する第２領域との間の境界部に配置された柱体、及び、前記境界部に沿って、前記柱体に取り付けられ、前記第２対象動物の前方から、前脚の上腕部に干渉可能である高さに配置された足掛ワイヤとを有する乗越防止柵と、
を備えることを特徴とする動物選別装置。
【請求項３】
障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、
動物導入口から、前記第１選別領域及び前記第２選別領域側に向けて前記第１対象動物及び前記第２対象動物を案内する誘導路と、
前記第１選別領域を囲うとともに、前記誘導路から前記第１選別領域への第１入口を有する第１柵状部と、
前記第１入口に設けられ、前記第１通抜高さより高く、前記第２通抜高さより低い位置から上方に配置された第１遮断部と、
前記第２選別領域を囲うとともに、前記誘導路から前記第２選別領域への第２入口を有する第２柵状部と、
前記第２入口に設けられ、前記第１乗越高さより高く、前記第２乗越高さより低い位置から下方に配置された第２遮断部と、
第１領域とこの第１領域に隣接する第２領域との間の境界部に沿って設置され、前記第１領域と前記第２領域との間を仕切る柵本体、及び、前記柵本体の前記第２領域側の、上下方向の所定寸法の範囲に形成され、前記境界部に沿って延びる、第１の色の第１色部と、前記柵本体の前記第２領域側の、前記第１色部に隣接し、かつ、上下方向の所定寸法の範囲に設けられ、前記境界部に沿って延びる、前記第１対象動物又は前記第２対象動物を対象とする、前記第１の色に対する識別性を有する第２の色の第２色部とを具備する移動防止柵と、
を備えることを特徴とする動物選別装置。
【請求項４】
障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、
動物導入口から、前記第１選別領域及び前記第２選別領域側に向けて前記第１対象動物及び前記第２対象動物を案内する誘導路と、
前記第１選別領域を囲うとともに、前記誘導路から前記第１選別領域への第１入口を有する第１柵状部と、
前記第１入口に設けられ、前記第１通抜高さより高く、前記第２通抜高さより低い位置から上方に配置された第１遮断部と、
前記第２選別領域を囲うとともに、前記誘導路から前記第２選別領域への第２入口を有する第２柵状部と、
前記第２入口に設けられ、前記第１乗越高さより高く、前記第２乗越高さより低い位置から下方に配置された第２遮断部と、
第１領域と、前記第１領域に隣接する第２領域との間の境界部に沿って設置され、前記第１領域と前記第２領域との間を仕切る柵本体と、前記柵本体の、前記第１対象動物又は前記第２対象動物の体高より高い位置から下方に配置され、前記第１対象動物又は前記第２対象動物の鼻部先端の、突出方向に垂直な方向の断面積より小である断面積の複数の隙間を有する細密柵部とを移動防止柵と、
を備えることを特徴とする動物選別装置。
【手続補正２】
【補正対象書類名】明細書
【補正対象項目名】発明の名称
【補正方法】変更
【補正の内容】
【発明の名称】動物選別装置
【手続補正３】
【補正対象書類名】明細書
【補正対象項目名】０００９
【補正方法】変更
【補正の内容】
【０００９】
前記課題を解決し目的を達成するために、本発明の動物選別装置は次のように構成されている。
【手続補正４】
【補正対象書類名】明細書
【補正対象項目名】００１０
【補正方法】変更
【補正の内容】
【００１０】
本発明の動物選別装置は、障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部と、地面上の第１領域とこの第１領域に隣接する第２領域との間の境界部に沿って設置され、前記第１領域と前記第２領域とを仕切る柵本体、及び、前記柵本体の下端部から前記第２領域側に、前記地面に沿って所定寸法だけ延出するとともに、前記柵本体に沿って設けられた網状部と有する潜抜防止柵とを備える。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明の動物選別装置は、障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部と、地面上の第１領域とこの第１領域に隣接する第２領域との間の境界部に配置された柱体、及び、前記境界部に沿って、前記柱体に取り付けられ、前記第２対象動物の前方から、前脚の上腕部に干渉可能である高さに配置された足掛ワイヤとを有する乗越防止柵とを備える。
【手続補正７】
【補正対象書類名】明細書
【補正対象項目名】００１３
【補正方法】変更
【補正の内容】
【００１３】
本発明の動物選別装置は、障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部と、第１領域とこの第１領域に隣接する第２領域との間の境界部に沿って設置され、前記第１領域と前記第２領域との間を仕切る柵本体、及び、前記柵本体の前記第２領域側の、上下方向の所定寸法の範囲に形成され、前記境界部に沿って延びる、第１の色の第１色部と、前記柵本体の前記第２領域側の、前記第１色部に隣接し、かつ、上下方向の所定寸法の範囲に設けられ、前記境界部に沿って延びる、前記第１対象動物又は前記第２対象動物を対象とする、前記第１の色に対する識別性を有する第２の色の第２色部とを具備する移動防止柵とを備える。
【手続補正８】
【補正対象書類名】明細書
【補正対象項目名】００１４
【補正方法】変更
【補正の内容】
【００１４】
本発明の動物選別装置は、障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部と、第１領域と、前記第１領域に隣接する第２領域との間の境界部に沿って設置され、前記第１領域と前記第２領域との間を仕切る柵本体と、前記柵本体の、前記第１対象動物又は前記第２対象動物の体高より高い位置から下方に配置され、前記第１対象動物又は前記第２対象動物の鼻部先端の、突出方向に垂直な方向の断面積より小である断面積の複数の隙間を有する細密柵部とを移動防止柵とを備える。
【手続補正９】
【補正対象書類名】明細書
【補正対象項目名】００６０
【補正方法】変更
【補正の内容】
【００６０】
上述したように、本発明によれば、複数種類の対象動物を、第２領域から第１領域への侵入を防止しつつ、容易に選別することが可能である。
なお、本発明は前記実施の形態に限定されるものではない。例えば、上述した例では、第１色部と第２色部をそれぞれ白色、緑色としたが、これを、猪や鹿を対象とする、識別性を有する他の色の組み合わせとする場合であっても、同様に適用できるのは勿論である。この他、本発明の要旨を逸脱しない範囲で種々変形実施可能であるのは勿論である。以下に、本願出願の当初の特許請求の範囲に記載された発明を付記する。
［１］障害物に対し下方を潜り抜け可能である通抜高さの最小値が第１通抜高さであり、乗越可能である乗越高さの最大値が第１乗越高さである、４足歩行の第１対象動物を第１選別領域に、通抜高さの最小値が、前記第１通抜高さより高い第２通抜高さであり、乗越高さの最大値が、前記第１乗越高さより高い第２乗越高さである４足歩行の第２対象動物を第２選別領域に仕分ける動物選別装置において、動物導入口から、前記第１選別領域及び前記第２選別領域側に向けて前記第１対象動物及び前記第２対象動物を案内する誘導路と、前記第１選別領域を囲うとともに、前記誘導路から前記第１選別領域への第１入口を有する第１柵状部と、前記第１入口に設けられ、前記第１通抜高さより高く、前記第２通抜高さより低い位置から上方に配置された第１遮断部と、前記第２選別領域を囲うとともに、前記誘導路から前記第２選別領域への第２入口を有する第２柵状部と、前記第２入口に設けられ、前記第１乗越高さより高く、前記第２乗越高さより低い位置から下方に配置された第２遮断部とを備えることを特徴とする動物選別装置。
［２］地面上の第１領域と、前記地面上の、前記第１領域に隣接する第２領域との間の境界部に設けられ、前記第２領域から前記第１領域への対象動物の移動を防止する潜抜防止柵において、前記境界部に沿って設置され、前記第１領域と前記第２領域とを仕切る柵本体と、前記柵本体の下端部から前記第２領域側に、前記地面に沿って所定寸法だけ延出するとともに、前記柵本体に沿って設けられた網状部とを備えることを特徴とする潜抜防止柵。
［３］地面の第１領域と、前記地面の、前記第１領域に隣接する第２領域との間の境界部に設けられ、猪の、前記第２領域から前記第１領域への移動を防止する乗越防止柵において、前記境界部に配置された柱体と、前記境界部に沿って、前記柱体に取り付けられ、前記猪の前方から、前脚の上腕部に干渉可能である高さに配置された足掛ワイヤとを備えることを特徴とする乗越防止柵。
［４］第１領域と、前記第１領域に隣接する第２領域との間の境界部に設けられ、前記第２領域から前記第１領域への対象動物の移動を防止する移動防止柵において、前記境界部に沿って設置され、前記第１領域と前記第２領域との間を仕切る柵本体と、前記柵本体の前記第２領域側の、上下方向の所定寸法の範囲に形成され、前記境界部に沿って延びる、第１の色の第１色部と、前記柵本体の前記第２領域側の、前記第１色部に隣接し、かつ、上下方向の所定寸法の範囲に設けられ、前記境界部に沿って延びる、前記対象動物を対象とする、前記第１の色に対する識別性を有する第２の色の第２色部とを備えることを特徴とする移動防止柵。
［５］第１領域と、前記第１領域に隣接する第２領域との間の境界部に設けられ、突出する鼻部を有する対象動物の、前記第２領域から前記第１領域への移動を防止する移動防止柵において、前記境界部に沿って設置され、前記第１領域と前記第２領域との間を仕切る柵本体と、前記柵本体の、前記対象動物の体高より高い位置から下方に配置され、前記鼻部先端の、突出方向に垂直な方向の断面積より小である断面積の複数の隙間を有する細密柵部とを備えることを特徴とする移動防止柵。